(57)【要約】【課題】内容物放出用バルブ機構の、ステムガスケットの変形を抑制し、ステムの静止モード位置を積極的に設定するとともに、静止モードでの内容物の漏洩を防止する。【解決手段】ステム10に、当該ステムを囲む筒状部11を間歇的に設けられた連結部12で一体化した。当該連結部同士の間には粉状物落下用の空間部分12ａが形成されている。静止モードでは、筒状部11の上端面部分11ａがステムガスケット50の内側部分50ａに当接することにより、ステムガスケット50の変形の程度を小さくするとともに、ステム10の停止位置を設定する。作動モードから静止モードへの移行時に、ハウジング13の下流側部分13ａに残る粉状物は空間部分12ａを通過して上流側部分13ｂに落下するので、ステム10とステムガスケット50との間に粉状物が引き込まれるのが防止され、両者間は確実にシールされる。筒状部材をハウジングに固定したバルブ機構なども開示している。【選択図】図１
2005239218.tif 000002
【特許請求の範囲】
【請求項１】
エアゾール容器に取り付けられるハウジングと、
内容物シール用のステムガスケットと、
内容物通過用の孔部を有し、当該孔部と前記ステムガスケットとの開閉関係が所定の操作に基づいて静止モードの閉状態および作動モードの開状態の一方から他方に切り替わるように、前記ハウジングの内部に移動可能な形で設けたステムと、
少なくとも前記静止モードのときに前記ステムガスケットの底面部分を保持するとともに、前記静止モードの前記ステムの停止位置を設定する機能を備えて、前記ハウジングの内部に、前記ステムを取り囲む形で設けた環状の囲み部と、
前記停止位置設定機能に基づいて前記静止モードのときの前記ステムを前記停止位置に保持するとともに、前記ステムガスケット側からの内容物落下空間を有する内容物落下作用部とを具備した、
ことを特徴とするバルブ機構。
【請求項２】
前記内容物落下作用部が、前記ステムと前記囲み部との間に形成された一体化部を含むものである、
ことを特徴とする請求項１記載のバルブ機構。
【請求項３】
前記囲み部が、前記ハウジングと一体化して、前記静止モードおよび前記作動モードのいずれのときも前記底面部分を保持するものであり、
前記内容物落下作用部が、前記ステムおよび前記囲み部間の係止手段の構成要素を含むものである、
ことを特徴とする請求項１記載のバルブ機構。
【請求項４】
請求項１乃至３記載のバルブ機構を備え、かつ、放出用ガスおよび内容物を収容したエアゾール式製品。
【発明の詳細な説明】
【技術分野】
【０００１】
本発明は、容器に収納された内容物をステムの静止モードから作動モードへの移動に基づいて外部に放出するバルブ機構に関するものであり、特にステムガスケットの開口部側の変形の程度を小さくし、ステムの静止モード位置を積極的に設定するとともに、静止モードにおける内容物の漏洩をより確実に防止するバルブ機構、およびこれを備えたエアゾール式製品に関する。
【背景技術】
【０００２】
従来の、静止モードから作動モードへの移動にともなうステムガスケット（開口部側）の変形の程度を小さくしたバルブ機構およびエアゾール式製品としては、下記の特許文献で開示のものがある。
【０００３】
このバルブ機構は、ステムガスケットの底面部分を保持し、かつ、ステム外周面の１周にわたって密接する機能を備えた環状のシール部材をハウジング内部に設けている。
【０００４】
そして、このシール部材は、
(a) ステムの上下動にともなうステムガスケットの開口部周辺の変形を抑え、
(b) 静止モードにおけるステムの停止位置を確実に設定し、
(c) 静止モードのこの停止位置において、ステムガスケットのステム孔部側に対する通常のシール作用とは別に、ステムガスケット開口部近傍の上流側空間のステム外周面に対するいわばダブルシールを行う、
などの機能を併せ備え、利便性にとんだものである。
【特許文献１】特開２００１−３４８０７７号公報
【発明の開示】
【発明が解決しようとする課題】
【０００５】
上記公報のバルブ機構は、このように利便性にとんでいるものの、作動モードから静止モードへの移行時に上記(c) のダブルシールの作用部同士（ステムガスケットおよびシール部材）の間のハウジング内部空間に取り残された内容物が、当該空間の急激な縮小にともなって当該作用部とステム外周面との間の（本来の）シール部分に押し込まれてしまう可能性がある。
【０００６】
このようにして内容物がシール部分へ残留すると、ステム孔部側に対するもともとのシール部分およびその上流側のステム外周面に対する補強シール部分のシール性が低下することもありえ、この点で検討の余地を残している。
【０００７】
本発明は、上記(c)の機能は捨象して上記(a) ，(b)の各機能を備えたバルブ機構の採用が技術的に有意な選択肢であることに着目したものであり、ステムガスケットの開口部側の変形の程度を小さくし、ステムの静止モード位置を積極的に設定し、内容物の漏洩をより確実に防止することを目的とする。  
【課題を解決するための手段】
【０００８】
本発明は、以上の課題を次のようにして解決する。
（１）エアゾール容器に取り付けられるハウジング（例えば後述のハウジング１３，２２）と、内容物シール用のステムガスケット（例えば後述のステムガスケット５０）と、内容物通過用の孔部（例えば後述の孔部１０ｂ，２０ｂ，３０ｂ，４１ｂ，４２ｂ）を有し、当該孔部と前記ステムガスケットとの開閉関係が所定の操作に基づいて静止モードの閉状態および作動モードの開状態の一方から他方に切り替わるように、前記ハウジングの内部に移動可能な形で設けたステム（例えば後述のステム１０，２０，３０，４１，４２）と、少なくとも前記静止モードのときに前記ステムガスケットの底面部分（例えば後述の底面の内側部分５０ａ）を保持するとともに、前記静止モードの前記ステムの停止位置を設定する機能を備えて、前記ハウジングの内部に、前記ステムを取り囲む形で設けた環状の囲み部（例えば後述の筒状部１１，筒状部材２１，２３，３１）と、前記停止位置設定機能に基づいて前記静止モードのときの前記ステムを前記停止位置に保持するとともに、前記ステムガスケット側からの内容物落下空間（例えば後述の空間部分１２ａ，２０ｆ，３２ａ，４１ｆ，４２ｆ）を有する内容物落下作用部（例えば後述の連結部１２，リブ２０ｄ，薄肉部３２ａ，環状部分４１ｄ，４２ｄ）と、を具備したバルブ機構を用いる。
（２）上記（１）において、前記内容物落下作用部を、前記ステムと前記囲み部との間に形成された一体化部（例えば後述の連結部１２）を含むものとする。
（３）上記（１）において、前記囲み部を、前記ハウジングと一体化して、前記静止モードおよび前記作動モードのいずれのときも前記底面部分を保持するものとし、また、前記内容物落下作用部を、前記ステムおよび前記囲み部間の係止手段（例えば後述のリブ２０ｄ，環状部分４１ｄ，４２ｄ）の構成要素を含むものとする。
【０００９】
このような構成からなるバルブ機構や、さらにはこれを用いたエアゾール式製品を本発明の対象としている。
【発明の効果】
【００１０】
本発明は、ステムの周りに設けた囲み部の作用によりステムガスケットの底面部分を保持するとともに、静止モードにおけるステム位置を規制しているので、ステムガスケットの開口部側の変形を抑え、静止モードのステムを所定の停止位置に確実に設定することができる。
【００１１】
これに加えて、静止モードのときのステムをその停止位置に保持するとともに、ステムガスケット側からの内容物落下空間を有する内容物落下作用部を設けているので、作動モードから静止モードへの移行にともなって、この内容物落下作用部とステムガスケットとの間の狭小なハウジング内空間域に残留したかもしれない内容物も当該落下空間からハウジングの底部側に落下していく。
【００１２】
そのため、ステムガスケットの開口部の近傍空間に内容物が残留して当該開口部の周面とステム外周面との間に入り込んでそこのシール性を劣化させるようなことはなく、内容物のステム回りのリークを確実に防止することができる。
【発明を実施するための最良の形態】
【００１３】
図１乃至図７を用いて本発明を実施するための最良の形態を説明する。なお、以下の実施の形態では外部空間への放出対象が粉状物である場合を前提とする。
【００１４】
ここで、
図１および図２は、ステムとその囲み部（筒状部）とを一体化した（囲み部がステムと連動する）バルブ機構であり、図１は静止モード，図２は作動モードを示し、
図３および図４は、囲み部をハウジングと一体化した（囲み部は静止モードおよび作動モードのいずれにおいてもステムガスケットの底面を支持・保持する）バルブ機構であり、図３は静止モード，図４は作動モードを示し、
図５は、図１および図２の変形例（囲み部とステムとは別部材でステムに対して囲み部を単に載置する）としてのバルブ機構を示し、
図６は、図３および図４の変形例（囲み部とステムとを薄肉部で連結する）としてのバルブ機構を示し、
図７は、図３〜図５のステムの変形例を示す説明図であり、（ａ）は粉状物落下用の空間部分を外周面の切欠部として形成したステム、（ｂ）は粉状物落下用の空間部分を上下方向の貫通路として形成したステムをそれぞれ示している。
【００１５】
これらの図において、
１０は後述の筒状部１１と一体化したステム，１０ａは静止モードで後述のステムガスケット５０との間をシールする肩部，１０ｂは粉状物放出用の孔部，１０ｃは粉状物放出用の縦通路，
１１は静止モードで後述のステムガスケット５０の内側部分５０ａを後述のマウンティングカップ７０との間に挟み込んで支持（保持）するとともに当該ステムの停止位置を設定する筒状部，１１ａは当該筒状部の上端面部分，
１２は筒状部１１とステム１０とを３ヶ所で接続して両者を一体化するための連結部，１２ａは当該連結部同士の間に形成されて作動モードから静止モードへの移行時（および移行後）には後述のハウジング１３の下流側部分１３ａの残留粉状物を上流側部分１３ｂに落下させるための空間部分，
１３はハウジング，１３ａは当該ハウジングの内部空間であり連結部１２よりも上側に形成される下流側部分，１３ｂは当該ハウジングの内部空間であり連結部１２よりも下側に形成される上流側部分，
２０は外周面に間歇的に縦方向のリブを設けたステム，２０ａは静止モードで後述のステムガスケット５０との間をシールする肩部，２０ｂは粉状物放出用の孔部，２０ｃは粉状物放出用の縦通路，２０ｄは静止モードで後述の筒状部材２１に係止して当該ステムの停止位置を設定し後述の粉状物落下用の空間部分２０ｆを形成するためのリブ，２０ｅは当該リブの上端面部分，２０ｆは当該リブの間に形成されて連結部１２の空間部分１２ａと同様の作用を呈する空間部分，
２１は後述のハウジング２３に固定的に設けられて後述のステムガスケット５０の内側部分５０ａを後述のマウンティングカップとの間に挟み込んで支持（保持）するとともにステム２０の停止位置を設定する筒状部材，２１ａは当該筒状部材の上端面部分，２１ｂは静止モードでステム２０のリブ２０ｄの上端面部分２０ｅを係止する環状段部，
２２はハウジング，２２ａは当該ハウジングおよび筒状部材２１の内部空間でありリブ２０ｄの上側に形成される下流側部分，２２ｂは当該内部空間でありリブ２０ｄの下側に形成される上流側部分，２２ｃは筒状部材２１の受け部，
２３はステム２０に固定されてない形で当該ステムと上下方向に連動する筒状部材，２３ａは当該筒状部材の上端面部分，２３ｂは当該筒状部材の自重でステム２０（リブ２０ｄ）の上端面部分２０ｅに当接する環状段部，
３０は後述の薄肉部３２によって後述の筒状部材３１と一体化したステム，３０ａは静止モードで後述のステムガスケット５０との間をシールする肩部，３０ｂは粉状物放出用の孔部，３０ｃは粉状物放出用の縦通路，
３１はハウジング２２に固定的に設けられた筒状部，３１ａは当該筒状部の上端面部分，
３２はステム３０と筒状部３１とを３ヶ所で連結する薄肉部，３２ａは当該連結部同士の間に形成されて作動モードから静止モードへの移行時（および移行後）にハウジング２２の下流側部分２２ａの残留粉状物を上流側部分２２ｂに落下させるための空間部分，
４１は粉状物落下用の環状部分を設けたステム（その１），４１ａは静止モードで後述のステムガスケット５０との間をシールする肩部，４１ｂは粉状物放出用の孔部，４１ｃは粉状物放出用の縦通路，４１ｄは当該ステムの停止位置を設定し後述の粉状物落下用の空間部分を形成するための環状部分，４１ｅは当該環状部分の上端面部分，４１ｆは当該環状部分の上側に一周に渡って間歇的に形成され作動モードから静止モードへの移行時（および移行後）にその下流側の残留粉状物を落下させるための空間部分， 
４２は粉状物落下用の環状部分を設けたステム（その２），４２ａは静止モードで後述のステムガスケット５０との間をシールする肩部，４２ｂは粉状物放出用の孔部，４２ｃは粉状物放出用の縦通路，４２ｄは当該ステムの停止位置を設定し後述の粉状物落下用の空間部分を形成するための環状部分，４２ｅは当該環状部分の上端面部分，４２ｆは当該環状部分を上下方向に貫通するように形成され作動モードから静止モードへの移行時（および移行後）にその下流側の残留粉状物を落下させるための空間部分， 
５０はステムガスケット，５０ａは当該ステムガスケットの内側部分，
６０はステム１０，２０，３０を上方に付勢するスプリング，
７０はマウンテンカップ，
８０は吸上管，
をそれぞれ示している。
【００１６】
ここで、ステム１０，２０，３０，４１，４２、筒状部１１、筒状部材２１，２３，３１、連結部１２、薄肉部３２は、ポリエチレン，ポリプロピレン，ナイロンなどのプラスチック製である。
【００１７】
本件のバルブ機構の特徴は、
・ハウジング内部に、ハウジングに少なくとも静止モードでステムガスケットの底面部分を支持（保持）し、ステムの停止位置を設定するための筒状部または筒状部材を設け、
・外側方向に張り出して静止モードのときにステムガスケットと当接するステムの肩部の当該張出しの程度を小さくし、
・ステムと筒状部の間などに、作動モードから静止モードに復帰するときにハウジングの下流側（ステムガスケット側）に残る粉状物を積極的にハウジングの上流側に落下させるための空間部分を設けたことである。
【００１８】
これにより、
・ステムガスケットの開口部（ステムとの接触部分）側のいわば疲労変形を抑え、
・ステムは作動モードから本来の静止モード位置に確実に復帰し、
・作動モードから静止モードに移行するときに肩部に粉状物が残ることが少なく、またハウジングの下流側（ステムガスケット側）に残る粉状物は上記落下用の空間部分を通過してその上流側に移動するので、ステムとステムガスケットとの間への粉状物の噛み込みが防止され、両者間のシール性の向上を図ることができる。
【００１９】
図１のバルブ機構では、ステム１０に、当該ステムを囲む筒状部１１を３ヶ所の連結部１２で一体化している。
【００２０】
筒状部１１は、静止モードでその上端面部分１１ａがステムガスケット５０の内側部分５０ａを支えて当該ステムガスケットの開口部側の変形を抑制するとともに、ステム１０の停止位置を設定する。
【００２１】
そして、連結部１２同士の間には、ハウジング１３の下流側部分１３ａの残留粉状物を上流側部分１３ｂに落下させるための空間部分１２ａが形成されている。
【００２２】
静止モードでは、ステム１０はスプリング６０の付勢により上動して孔部１０ｂはステムガスケット５０よりも上方に位置しているので、粉状物は放出されない。
【００２３】
このとき、前述のように筒状部１１はステムガスケット５０の内側部分５０ａを支持しているので、当該ステムガスケットはステム１０の外周面に確実に密着し、粉状物や放出用ガスの漏洩は防止される。
【００２４】
図２に示すように、操作部材（図示省略）を押圧した作動モードでは、ステム１０および当該ステムと一体の筒状部１１がスプリング６０の付勢に抗して下がり、孔部１０ｂがステムガスケット５０の下方に位置するので、容器本体（図示省略）の粉状物は、放出用ガスの作用により吸上管８０からハウジング１３に流入し、上流側部分１３ｂ−空間部分１２ａ−下流側部分１３ａ−孔部１０ｂ−縦通路１０ｃを通って外部空間に放出される。
【００２５】
操作部材の押圧をやめると、ステム１０および当該ステムと一体の筒状部１１は、スプリング６０の付勢により上動し、筒状部１１の上端面部分１１ａがステムガスケット５０に当接することにより確実に停止する。
【００２６】
このとき、ステム１０の肩部１０ａが小さいので当該肩部に粉状物が溜まりにくく、連結部１２よりも上側の下流側部分１３ａの残留粉状物も空間部分１２ａを通過して上流側部分１３ｂに落下する。
【００２７】
その結果、ステム１０が復帰したときに当該ステムとステムガスケット５０との間に粉状物が引き込まれるのが防止され、ステム１０とステムガスケット５０との間は確実にシールされる。
【００２８】
なお、連結部１２に代えて、ステム１０と筒状部１１とを一体化する環状部を設け、当環状部に、（図７（ｂ）のような）上下方向に貫通する複数の孔部を形成してもよい。
【００２９】
図３のバルブ機構は、ステム２０とは別体の筒状部２１を、ハウジング２２の受け部２２ｃに固定している。当該筒状部の上端面部分２１ａはステムガスケット５０の内側部分５０ａを常時支えている。
【００３０】
ステム２０の外周面にはリブ２０ｄが間歇的に設けられ、当該リブの上端面部分２０ｅが筒状部２１の環状段部２１ｂと係止することによってステム２０の停止位置が設定される。そして、リブ同士の間の空間部分２０ｆやリブ２０ｄと筒状部２１との間が粉状物落下用の通路となっている。
【００３１】
静止モードでは、ステム２０はスプリング６０の付勢によって上動してリブ２０ｄの上端面部分２０ｅは環状段部２１ｂに係止している。そして、孔部２０ｂはステムガスケット５０よりも上方に位置しているので、粉状物は放出されない。
【００３２】
このとき、前述のように筒状部２１の上端面部分２１ａはステムガスケット５０の内側部分５０ａを支持しているので、当該ステムガスケットの開口部側の変形は抑制されてステム２０に確実に密接し、粉状物や放出用ガスの漏洩は防止される。
【００３３】
図４に示すように、操作部材（図示省略）を押圧した作動モードでは、ステム２０はスプリング６０の付勢に抗して下がり、リブ２０ｄは環状段部２１ｂから離れる。そして、孔部２０ｂがステムガスケット５０の下方に位置するので、容器本体（図示省略）の粉状物は、放出用ガスの作用により吸上管８０からハウジング２２に流入し、上流側部分２２ｂ−空間部分２０ｆやリブ２０ｄと筒状部２１との間−下流側部分２２ａ−孔部２０ｂ−縦通路２０ｃを通って外部空間に放出される。
【００３４】
操作部材の押圧動作をやめると、ステム２０は、スプリング６０の付勢により上動し、リブ２０ｄの上端面部分２０ｅが筒状部２１の環状段部２１ｂに当接することにより確実に停止する。
【００３５】
このとき、ステム２０の肩部２０ａが小さいので当該肩部に粉状物が溜まりにくく、リブ２０ｄよりも上側の下流側部分２２ａに残る粉状物は空間部分２０ｆやリブ２０ｄと筒状部２１との間を通過して上流側部分２２ｂに落下する。
【００３６】
その結果、ステム２０が復帰したときに当該ステムとステムガスケット５０の間に粉状物が引き込まれるのが防止され、両者間は確実にシールされる。
【００３７】
なお、筒状部材２１はハウジング２２と一体成形してもよい。
【００３８】
図５のバルブ機構の筒状部材２３は、ハウジング１３やステム２０に固定されることなく、ステム２０のリブ２０ｄに載置されている。なお、ステム２０は図３、ハウジング１３は図１と同様である。
【００３９】
静止モードでは、スプリング６０の付勢によりステム２０が上動し、この作用と筒状部材２３の自重によって当該ステムのリブ２０ｄの上端面部分２０ｅは筒状部材２３の環状段部２３ｂに当接している。
【００４０】
したがって、筒状部材２３はステム２０により上方向に押圧された状態であり、その上端面部分２３ａがステムガスケット５０の内側部分５０ａを支え、当該ステムガスケットの開口部側の変形を抑制している。
【００４１】
操作部材（図示省略）を押圧した作動モードでは、スプリング６０の付勢に抗してステム２０が下動し、粉状物は放出用ガスの作用により吸上管８０からハウジング１３に流入し、上流側部分１３ｂ−空間部分２０ｆやリブ２０ｄと筒状部材２３との間−下流側部分１３ａ−孔部２０ｂ−縦通路２０ｃを通って外部空間に放出される。なお、このとき、筒状部材２３はステム２０の押圧から開放されるので、自重で落下する。
【００４２】
操作部材の押圧動作をやめると、ステム２０は、
・スプリング６０の付勢により上動し、
・そのリブ２０ｄの上端面部分２０ｅが筒状部材２３の環状段部２３ｂに当接し、
・この状態のまま筒状部材２３を押し上げていき、
・当該筒状部材２３の上端面部分２３ａがステムガスケット５０に当接することにより確実に停止する。
【００４３】
このとき、ステム２０の肩部２０ａが小さいので当該肩部に粉状物が溜まりにくく、リブ２０ｄよりも上側の下流側部分１３ａに残る粉状物は、空間部分２０ｆなどを通過して上流側部分１３ｂに落下する。その結果、ステム２０が復帰したときに当該ステムとステムガスケット５０との間に粉状物が引き込まれるのが防止され、両者間は確実にシールされる。
【００４４】
図６のバルブ機構の筒状部３１は、ハウジング２２の受け部２２ｃに固定され、３ヶ所の薄肉部３２によってステム３０と一体化している。なお、ハウジング２２は図３と同様である。
【００４５】
筒状部３１の上端面部分３１ａは常時ステムガスケット５０の内側部分５０ａを支持し、当該ステムガスケットの変形を抑制している。
【００４６】
静止モードでは、ステム３０はスプリング６０の付勢により上動し、このとき薄肉部３２は伸び切った状態であり、これによってステム３０の停止位置が設定されている。
【００４７】
操作部材（図示省略）を押圧した作動モードでは、薄肉部３２は撓み、容器本体（図示省略）の粉状物は、放出用ガスの作用により吸上管８０からハウジング２２に流入し、上流側部分２２ｂ−空間部分３２ａ−下流側部分２２ａ−孔部３０ｂ−縦通路３０ｃを通って外部空間に放出される。
【００４８】
操作部材の押圧動作をやめると、ステム３０は、スプリング６０の付勢により上動し、薄肉部３２が図示のように伸び切った状態になると停止する。
【００４９】
ステム３０の肩部３０ａは小さいので当該肩部に粉状物が溜まりにくく、薄肉部３２ａよりも上側の下流側部分２２ａに残る粉状物は空間部分３２ａなどを通過して上流側部分２２ｂに落下する。
【００５０】
その結果、ステム３０が復帰したときに当該ステムとステムガスケット５０との間に粉状物が引き込まれるのが防止され、両者間は確実にシールされる。
【００５１】
図７は、図３〜図５に示したステム２０のリブ２０ｄに代えて、環状部分４１ｄ，４２ｄを設けたステム４１，４２である。
【００５２】
図７（ａ）のステム４１には、環状部分４１ｄの上側を一周に渡って間歇的に切欠くかたちで粉状物落下用の空間部分４１ｆが形成されている。
【００５３】
また、図７（ｂ）のステム４２には、環状部分４２ｄを貫通するかたちで粉状物落下用の空間部分４２ｆが形成されている。
【００５４】
各ステム４１，４２を図３〜図５のステム２０に代えて用いた場合、これらのバルブ機構と同様に、
・静止モードでは、各筒状部材２１，２３の上端面部分２１ａ，２３ａがステムガスケット５０の内側部分５０ａを支持して当該ステムガスケットの変形を抑制するとともに、各ステム４１，４２の上端面部分４１ｅ，４２ｅが、筒状部材２１，２３の環状段部２１ｂ，２３ｂに当接することにより当該ステムの停止位置が設定され、
・作動モードでは、粉状物は、上流側部分２２ｂ，１３ｂ−空間部４１ｆ，４２ｆや環状部分４１ｄ，４２ｄと筒状部材２１，２３との間−下流側部分２２ａ，１３ａ−孔部４１ｂ，４２ｂ−縦通路４１ｃ，４２ｃを通過して外部空間に放出される。
【００５５】
また、作動モードから静止モードへの移行時には、肩部４１ａ，４２ａに粉状物が溜まることが少なく、ハウジング２２の下流側部分２２ａに残る粉状物は空間部４１ｆ，４２ｆを通過して上流側部分２２ｂに落下し、ステム４１，４２とステムガスケット５０との間に粉状物が引き込まれるのが防止される。
【００５６】
なお、環状部分４１ｄ，４２ｄに形成した空間部分４１ｆ，４２ｆに代えて、当該環状部分の周囲にスリットを形成してもよい。
【００５７】
以上のエアゾール容器用バルブ機構を備えた製品としては、洗浄剤，清掃剤，制汗剤，忌避剤（殺虫剤），接着剤，塗料，食品，医薬品，医薬部外品，冷却剤，筋肉消炎剤，化粧品，頭髪用品，染毛剤，洗濯のり，消火器などがある。
【００５８】
エアゾール容器に収納する内容物としては、例えば、粉状物，油成分，アルコール類，界面活性剤，高分子化合物，各用途に応じた有効成分などを用いる。
【００５９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩などおよびこれらの混合物などである。
【００６０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる
【００６１】
アルコール類としては、エタノールなどの１価の低級アルコール，ラウリルアルコールなどの１価の高級アルコール，エチレングリコールなどの多価アルコールなどを用いる。
【００６２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６３】
高分子化合物としては、メチルセルロース，ゼラチン，デンプン，カゼインなどを用いる。
【００６４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６５】
さらに、上記内容物以外の、懸濁剤，紫外線吸収剤，乳化剤，保湿剤，酸化防止剤、金属イオン封鎖剤なども用いることができる。
【００６６】
内容物放出用ガスとしては、窒素，炭酸ガスなどの圧縮ガス、液化石油ガス，ジメチルエーテル，フロロカーボンなどの液化ガスを用いることができる。
【図面の簡単な説明】
【００６７】
【図１】本発明のステムとその囲み部（筒状部）を一体化したバルブ機構であり、静止モードを示す説明図である。
【図２】本発明のステムとその囲み部（筒状部）を一体化したバルブ機構であり、作動モードを示す説明図である。
【図３】本発明の囲み部をハウジングと一体化したバルブ機構であり、静止モードを示す説明図である。
【図４】本発明の囲み部をハウジングと一体化したバルブ機構であり、作動モードを示す説明図である。
【図５】本発明の図１および図２の囲み部の変形例としてのバルブ機構を示す説明図である。
【図６】本発明の囲み部とステムとを薄肉部で連結するバルブ機構を示す説明図である。
【図７】本発明の図３〜図５のステムの変形例を示す説明図であり、（ａ）は粉状物落下用の空間部分を形成したステム、（ｂ）は粉状物落下用の空間部分を上下方向の貫通路として形成したステムを示す説明図である。
【符号の説明】
【００６８】
１０：ステム
１０ａ：肩部
１０ｂ：孔部
１０ｃ：縦通路
１１：筒状部
１１ａ：上端面部分
１２：連結部
１２ａ：空間部分
１３：ハウジング
１３ａ：下流側部分
１３ｂ：上流側部分
２０：ステム
２０ａ：肩部
２０ｂ：孔部
２０ｃ：縦通路
２０ｄ：リブ
２０ｅ：リブの上端面部分
２０ｆ：空間部分
２１：筒状部材
２１ａ：上端面部分
２１ｂ：環状段部
２２：ハウジング
２２ａ：下流側部分
２２ｂ：上流側部分
２２ｃ：受け部
２３：筒状部材
２３ａ：上端面部分
２３ｂ：環状段部
３０：ステム
３０ａ：肩部
３０ｂ：孔部
３０ｃ：縦通路
３１：筒状部
３１ａ：上端面部分
３２：薄肉部
３２ａ：空間部分
４１：ステム
４１ａ：肩部
４１ｂ：孔部
４１ｃ：縦通路
４１ｄ：環状部分
４１ｅ：環状部分の上端面部分
４１ｆ：空間部分 
４２：ステム
４２ａ：肩部
４２ｂ：孔部
４２ｃ：縦通路
４２ｄ：環状部分
４２ｅ：環状部分の上端面部分
４２ｆ：空間部分 
５０：ステムガスケット
５０ａ：内側部分
６０：スプリング
７０：マウンテンカップ
８０：吸上管
【図１】
2005239218.tif 000003
【図２】
2005239218.tif 000004
【図３】
2005239218.tif 000005
【図４】
2005239218.tif 000006
【図５】
2005239218.tif 000007
【図６】
2005239218.tif 000008
【図７】
2005239218.tif 000009